(57)【要約】【課題】生物標本を支持したスライド(56)の複数枚を完全に自動的かつ集積化されたシステムで、脱パラフィン、染色およびカバーグラス被覆を行う大容量のスライドの自動染色システム【解決手段】互いに重ねて配置された複数のワークステーション(120、140、160、180)と、各種ワークステーション間でスライドを運搬する運搬／昇降機(52)とを有するスライド自動処理装置(20)。
2005527811.tif 000002
【特許請求の範囲】
【請求項１】
互いに垂直に重ねられた複数のワークステーションと、各ワークステーション間でスライドを運搬する運搬／昇降機とを含むスライド自動処理装置。
【請求項２】
ワークステーションと運搬／昇降機を制御するコンピュータをさらに含む請求項１に記載のスライド自動処理装置。
【請求項３】
少なくとも１つのワークステーションが焼成または乾燥ステーションからなる請求項１に記載のスライド自動処理装置。
【請求項４】
乾燥または焼成ステーションが対流加熱器を含む請求項３に記載のスライド自動処理装置。
【請求項５】
少なくとも１つのワークステーションが脱ワックスまたは脱パラフィンステーションを含む請求項１に記載のスライド自動処理装置。
【請求項６】
脱ワックスまたは脱パラフィンステーションがスライド上に脱ワックスまたは脱パラフィン流体を供給する複数の流体分配ノズルを含む請求項５に記載のスライド自動処理装置。
【請求項７】
脱ワックスまたは脱パラフィン流体が水溶性流体からなる請求項６に記載のスライド自動処理装置。
【請求項８】
少なくとも１つのワークステーションが染色ステーションからなる請求項１に記載のスライド自動処理装置。
【請求項９】
染色ステーションが選択された染色剤または洗浄流体をスライド上に塗布する複数のノズルを含む請求項８に記載のスライド自動処理装置。
【請求項１０】
各ノズルに選択的に連結される複数の染色供給源をさらに含む請求項９に記載のスライド自動処理装置。
【請求項１１】
ワークステーションがカバーグラス取付けステーションを含む請求項１に記載のスライド自動処理装置。
【請求項１２】
カバーグラス取付けステーションでスライド上にカバーグラスを乗せる請求項１１に記載のスライド自動処理装置。
【請求項１３】
運搬時に複数のスライドを支持して運搬するスライドトレーをさらに含む請求項１に記載のスライド自動処理装置。
【請求項１４】
運搬／昇降機がＸ−Ｙ−Ｚ運搬機構を含む請求項１３に記載のスライド自動処理装置。
【請求項１５】
脱ワックスまたは脱パラフィン流体を濾過・再循環する濾過・再循環器をさらに含む請求項６に記載のスライド自動処理装置。
【請求項１６】
互いに重ねられた複数のワークステーションを含み、各ワークステーションが一つの共通運搬／昇降機の近くに作動可能な状態で配置されている請求項１に記載のスライド自動処理装置。
【請求項１７】
水溶性流体を加熱する加熱器をさらに含む請求項７に記載のスライド自動処理装置。
【請求項１８】
水溶性の脱ワックスまたは脱パラフィン流体を収容した貯蔵器と、上記の水溶性流体を加熱する加熱器と、加熱された水溶性流体をスライド上に噴霧する噴霧器と、水溶性流体を回収して貯蔵器に戻す回収器と、水溶性流体を再使用するための濾過器とを含む、標本スライドを処理するための脱ワックスまたは脱パラフィンステーション。
【請求項１９】
濾過器が回収器と貯蔵器との間にある請求項１８に記載の脱ワックスまたは脱パラフィンステーション。
【請求項２０】
水平方向に互いに間隔をあけて配置された複数の標本スライドを保持するトレーをさらに含む請求項１８に記載の脱ワックスまたは脱パラフィンステーション。
【請求項２１】
脱ワックスまたは脱パラフィン流体をスライド上に噴霧する複数の噴霧ノズルをさらに含む請求項１８に記載の脱ワックスまたは脱パラフィンステーション。
【請求項２２】
トレーの底の壁が傾斜しており、この傾斜した底壁の最低点の近傍から使用済み脱ワックスまたは脱パラフィン流体を吸引する吸引器をさらに含む請求項２０に記載の脱ワックスまたは脱パラフィンステーション。
【請求項２３】
トレーが、互いに間隔をあけて配置された複数のスライドをトレー底壁上に保持するためのラックを有する請求項２０に記載の脱ワックスまたは脱パラフィンステーション。
【請求項２４】
ラックが、トレー内のスライドの軸線方向、横方向および垂直方向の移動を制限する複数の支持体を含む請求項２３に記載の脱ワックスまたは脱パラフィンステーション。
【請求項２５】
ラックが複数のスライドを間隔をあけた列に並べて保持する請求項２３に記載の脱ワックスまたは脱パラフィンステーション。
【請求項２６】
互いに垂直に重ねられた複数のワークステーションと、ワークステーション間でスライドを運搬する運搬／昇降機とを含み、１つのワークステーションが焼成または乾燥と脱ワックスまたは脱パラフィンとを組み合わせたステーションからなるスライド自動処理装置。
【請求項２７】
ステーションと運搬／昇降機とを制御するコンピュータをさらに含む請求項２６に記載のスライド自動処理装置。
【請求項２８】
焼成または乾燥と脱ワックスまたは脱パラフィンとを組み合わせたステーションが少なくとも１つの放射加熱器をさらに含む請求項２６に記載のスライド自動処理装置。
【請求項２９】
焼成または乾燥と脱ワックスまたは脱パラフィンとを組み合わせたステーションが、予備加熱されたスライド上に脱ワックスまたは脱パラフィン流体を供給する複数の流体分配ノズル含む請求項２６に記載のスライド自動処理装置。
【請求項３０】
脱ワックスまたは脱パラフィン流体が水溶性流体からなる請求項２７に記載のスライド自動処理装置。
【請求項３１】
脱ワックスまたは脱パラフィン流体が約３〜約３０容量％のコラテルジュ（Collaterge、登録商標）からなる請求項２６に記載のスライド自動処理装置。
【請求項３２】
染色ステーションをさらに含む請求項２６に記載のスライド自動処理装置。
【請求項３３】
染色ステーションが、選択された染色剤をスライド上に塗布する複数のノズルを含む請求項３２に記載のスライド自動処理装置。
【請求項３４】
上記ノズルに選択的に連結される複数の染色供給源をさらに含む請求項３３に記載のスライド自動処理装置。
【請求項３５】
カバーグラス取付けステーションをさらに含む請求項２６に記載のスライド自動処理装置。
【請求項３６】
カバーグラス取付けステーションでスライドをカバーグラスで覆う請求項３５に記載のスライド自動処理装置。
【請求項３７】
運搬時に複数のスライドを支持する複数のスライドを支持するスライドトレーをさらに含む請求項３６に記載のスライド自動処理装置。
【請求項３８】
運搬／昇降機がＸ−Ｙ−Ｚ運搬機構を含む請求項３７に記載のスライド自動処理装置。
【請求項３９】
複数の互いに重なったワークステーションを含み、各ワークステーションが一つの共通の運搬／昇降機の近く作動状態で配置されている請求項２６に記載のスライド自動処理装置。
【請求項４０】
スライドを加熱する放射加熱器と、加熱されたスライド上へ貯蔵器に収容した脱ワックスまたは脱パラフィン流体を噴霧する噴霧器とをさらに含む、焼成または乾燥と脱ワックスまたは脱パラフィンとを組み合わせたステーション。
【請求項４１】
洗浄流体をスライド上に噴霧する噴霧器をさらに含む請求項４０に記載の焼成または乾燥と脱ワックスまたは脱パラフィンとを組み合わせたステーション。
【請求項４２】
水平方向に互いに間隔をあけて配置された複数の標本スライドを保持するトレーをさらに含む請求項４０に記載の焼成または乾燥と脱ワックスまたは脱パラフィンとを組み合わせたステーション。
【請求項４３】
スライド上に脱ワックスまたは脱パラフィン流体を噴霧する複数の噴霧ノズルをさらに含む請求項４０に記載の焼成または乾燥と脱ワックスまたは脱パラフィンとを組み合わせたステーション。
【請求項４４】
トレーの底壁が傾斜しており、この傾斜した底壁の最低点の近傍から使用済み脱ワックスまたは脱パラフィン流体を吸引する吸引器をさらに含む請求項４２に記載の焼成または乾燥と脱ワックスまたは脱パラフィンとを組み合わせたステーション。
【請求項４５】
トレーが、互いに間隔をあけて配置された複数のスライドをトレーの底壁上に保持するためのラックを含む請求項４２に記載の焼成または乾燥と脱ワックスまたは脱パラフィンとを組み合わせたステーション。
【請求項４６】
ラックが、トレー内のスライドの軸線方向、横方向および垂直方向の移動を制限する複数の支持体を含む請求項４５に記載の焼成または乾燥と脱ワックスまたは脱パラフィンとを組み合わせたステーション。
【請求項４７】
ラックが複数のスライドを間隔をあけた列に並べて保持する請求項４６に記載の焼成または乾燥と脱ワックスまたは脱パラフィンとを組み合わせたステーション。
【請求項４８】
下記段階からなることを特徴とする病理分析のために顕微鏡スライド上に組織標本を自動調製する方法：
（ａ）組織がスライドに付着するのに十分な熱を機器を用いて組織に加えることによって、組織標本をスライド上で焼成し、
（ｂ）パラフィンの融点以上の温度で組織標本を脱パラフィン流体と接触させ、続いて液化パラフィンを洗浄除去することによって、組織標本を脱パラフィンし、
（ｃ）組織標本を染色試薬と接触させ、さらに
（ｄ）スライドをカバーグラスで覆う。
【請求項４９】
スライド上の染色された組織標本を予備接着されたカバーグラスおよび接着活性化流体と接触させることによって、スライドをカバーグラスで覆う請求項４８に記載の方法。
【請求項５０】
脱パラフィン流体が水と界面活性剤とを含む請求項４７に記載の方法。
【請求項５１】
染色試薬がヘマトキシリンとエオシンとからなる請求項４８に記載の方法。
【発明の詳細な説明】
【技術分野】
【０００１】
本発明は医学診断機器に関するものである。
本発明は特に、顕微鏡のスライド上の生物学的標本の自動染色に有用である。従って、以下、この用途で本発明を説明するが、本発明はその他の用途でも使用できる。
本出願は米国仮出願第60/372,506号(2002年4月15日出願）に基くものである。
【背景技術】
【０００２】
明視野顕微鏡下では、組織の成分が見えるように処理しても、多くの組織に十分な色を付けることができない。そのため、一般には組織に着色剤または染料を加えて組織を染色する。最も広範に使用されている組織染色剤はヘマトキシリンとエオシン（「Ｈ＆Ｅ」）染色剤であろう。これらは比較的単純に使用でき、大くの各種組織構造体をはっきりと見せることができるために広く用いられている。ヘマトキシリンは種々の方法で調整でき、各種部位から組織に広く適用できる。ヘマトキシリン成分は基本的に細胞核を青／黒に染色して核間細部を良く示す。これに対してエオシンは細胞質と大抵の結合組織繊維とを異なる明度および輝度でピンク、オレンジ、赤に染色する。
【０００３】
染色した顕微鏡スライド、通常はＨ＆Ｅパラフィン片は病理学者または細胞学者によって検査されて正確な診断が行われる。このＨ＆Ｅ染色は自動染色機を用いて大量に行なわれる。難しい組織学的解釈を避けるためには一貫性に対するニーズが最重要事項である。一般に、自動染色機を用い、各段階の時間を調節することによって正確で一貫した染色、識別および脱水を行うことができる。
【０００４】
一般には一定の標準的操作を用いてスライド上の組織を染色する。大部分の染色剤は水溶液またはアルコール溶液で塗布され、パラフィンが浸透した組織には浸透しないので、先ず最初に、パラフィン片を脱パラフィンしなければならない。典型的にはスライドを脱パラフィン後にスライドをオーブン等の加熱室で焼いて、脱パラフィン溶剤を追い出す。その後、スライドに組織を付着させ、組織を標準的な染色剤、例えばヘマトキシリンとエオシンを用いて染色する。最後に、染色済みの組織片上に薄いカバーグラスを乗せて組織片をカバーグラスで覆う。次に、取付剤で密封して保存に適した密封環境にする。
従来はこれらの全ての工程を細胞学技術者が手作業で行ってきた。しかし、病理学者の検査用および解釈用にヒトの組織標本を調製・染色する研究所の技術者は減りつつある。
従って、脱パラフィンからカバーグラスの被覆までの全ての段階を自動化することが要望されている。
【発明の開示】
【発明が解決しようとする課題】
【０００５】
本発明は顕微鏡スライド上に乗せた生物組織片に染色剤を塗布する自動スライド染色システムを提供する。
本発明は特に、スライド上に支持された多数の生物標本の脱パラフィン、染色、カバーグラス被覆操作を完全自動化され集積化されたシステムで行う自動装置を提供する。
【課題を解決するための手段】
【０００６】
本発明は、好ましい一つの実施例として、互いに重ねられた複数のワークステーションと、複数の標本スライドを支持した１つのスライドトレーを複数のワークステーションの間を移動させる運搬／昇降機とを含む自動装置を提供する。この場合、スライド上に支持された標本は乾燥、焼成、脱ワックスされ、染色準備され、染色剤が塗布され、最後に密封または覆われて、スライドは分析、研究用あるいは分析結果の永久記録用として保存される。
本発明はさらに、病理学的分析のために顕微鏡スライド上で組織標本を自動的に調製する方法を提供する。この方法は、組織がスライドに付着するのに十分な熱を機器を用いて組織に加えて組織標本をスライド上に焼成し、パラフィンの融点以上の温度で組織標本を脱パラフィン流体と接触させ、液化パラフィンを洗浄除去して組織標本を脱パラフィンし、組織標本を染色試薬と接触させ、スライド上の染色済み組織標本を予備接着されたカバーグラスおよび接着活性化流体と接触させてスライドをカバーグラスで覆う段階からなる。
【発明を実施するための最良の形態】
【０００７】
本発明の上記以外の特徴および利点は添付図面を参照した以下の説明からより良く理解できよう。
本発明の染色システムはスライド上に載った生物標本の処理、染色およびカバーグラス被覆操作の全ての段階を効率的な高速操作で行う。特に、生物標本を支持したスライドはスライドトレー上に載せられ、こうして標本スライドを支持したスライドトレーが本発明システムにロードされる。本発明システムではスライドの焼成、脱ワックス、染色およびカバーグラス被覆操作の一連の段階が実施される。
本発明方法では顕微鏡スライド上で病理分析用に組織標本が自動的に調製される。本発明方法では組織がスライドに付着するのに十分な熱を機器を用いて組織に加えて組織標本をスライド上に焼成し、パラフィンの融点以上の温度で組織標本を脱パラフィン流体と接触させ、液化パラフィンを洗浄除去して組織標本を脱パラフィンし、組織標本を染色試薬と接触させ、さらに、スライド上の染色済み組織標本を予備接着されたカバーグラスおよび接着活性化流体と接触させてスライドをカバーグラスで覆う。
【実施例】
【０００８】
［図１］を参照すると、本発明の第１実施例の装置２０は一つのシステム２２の一つの部品またはモジュールとして機能する。このシステム２２は大容積の流体容器３２、３４、３６とその関連機器をさらに有している。
［図１Ａ］と［図１Ｂ］も参照して説明すると、上記装置２０は互いに重ねられた複数のワークステーションを支持するフレーム４０を有している。例えば、一つまたは複数の乾燥または焼成ステーションまたはモジュール１２０と、脱ワックスまたは脱パラフィンステーションまたはモジュール１４０と、一つまたは複数の染色ステーションまたはモジュール１６０と、カバーグラス被覆ステーションまたはモジュール１８０はがタワー５０の内部に配置されている。タワー５０の近傍には運搬／昇降機構５２が設けられている。この運搬／昇降機構５２は乾燥／焼成、脱ワックス、染色およびカバーグラス被覆操作時に個々の標本が乗ったスライド５６の複数枚を支持したスライドトレー５４をトレー保管ステーションまたは「ガレージ」６０から運搬する。
【０００９】
［図１Ｂ］と［図１Ｃ］にはこのトレー保管ガレージまたはステーション６０が示してある。このステーション６０は一対の支柱６２Ａ、６２Ｂを有し、これらの支柱６２は垂直方向に間隔をあけて配置された複数の棚またはスキッドを支持し、各棚またはスキッドにはスライドトレー５４が収容される。
［図１Ｄ］（図を明瞭にするためにガレージ６０の外板またはカバーは省略してある）から分るように、トレー保管ガレージまたはステーション６０は第１棚位置へアクセスするための回動自在に取り付けられたドアを有している。第１棚位置の下側方にはトレーをポータル (portal)に出し入れするためのトレー駆動組立体（全体を６８で示す）が配置されている。このトレー駆動組立体は駆動モータ／伝動装置７２によって駆動される一対の回転駆動輪７０を有している。
【００１０】
［図２］、［図２Ａ］から分るように、スライドトレー５４は一般に長方形の平ら皿またはスライドトレー８０からなるのが好ましい。このスライドトレー８０は底壁８２と、互いに対向した２つの側壁８４と、互いに対向した２つの端壁８６とを有する。一般に、スライドトレーはこの種の用途で用いられる合成ポリマーで作られ、当業界で周知の射出成形で成形される。
【００１１】
トレー８０は標本スライドを同一面上にほぼ水平位置に保持するための標本スライド支持ラック９０を有している。全てのスライドを同一面上に保持することによって、後で説明するように焼成および乾燥が容易になり、脱パラフィンおよび染色中のスライドの相互汚染を防止することができる。ラック９０はスライドトレーに配置した標本スライド５６の軸線方向、横方向および垂直方向の移動を制限する複数のバネ式スライド支持体９２を有している。ラック９０は標本スライド底とトレー底との間にフィルムまたは泡が生成するのを抑制または防止するのに十分な高さでトレー底８０の上方に支持される。バネ式スライド支持体９２は標本スライドの互いに対向する２つの端縁９６に力を加えることによって個々の標本スライドを定位置に保持する。後で詳細に説明するように、スライドトレーの床は中央へ向かって傾斜し、脱ワックス流体および染色剤が中心位置１０４へ流れ、そこから排出するようになっている。このトレー８０を用いることによって、乾燥／焼成、脱パラフィン、染色およびカバーグラス被覆の各段階で複数の標本スライドを自動処理することが可能になる。好ましい実施例ではトレー８０ははねかけ（splash）レール１０６を有し、１６枚の標本スライドを水平格子状に配置して収容する（横に２枚、縦に８枚）。
【００１２】
図示した実施例の染色システムでは、タワー５０内部に乾燥／焼成ステーションまたはモジュール１２０と、脱パラフィンステーションまたはモジュール１４０と、染色ステーションまたはモジュール１６０と、カバーグラス被覆ステーションまたはモジュール１８０とが垂直に配置され、これらがコンピュータ制御される。
［図４］を参照すると、乾燥／焼成ステーション１２０は標本スライドを乾燥させるための制御された熱を供給する断熱区画室を有している。この乾燥／焼成ステーション１２０はモジュラユニットであり、標本スライドの表面に熱風が当るように配置された対流加熱器１２２を有するのが好ましい。本発明の特徴および利点の１つはスライドを水平に並べて対流乾燥を効率的に行う点にある。
【００１３】
［図３］および［図３Ａ］を参照すると、脱パラフィンステーション１４０はモジュラ型区画室であり、標本スライドに対して所定角度で下方を向いた一つまたは複数の洗浄分配ノズル１４２を有している。この脱パラフィンステーション１４０は１０個のノズル１４２の２つのバンク１４４Ａ、Ｂからなるのが好ましい。各ノズルには脱パラフィン流体供給源３２から共通マニホルド１４６Ａ、Ｂを介して脱パラフィン流体が供給される。この脱パラフィン流体供給源３２は本発明の好ましい実施例では温水と洗浄剤とからなる。変形例では一対のノズル１４２を可動にし、一方のスライド対から他方のスライド対へ移動させることができる。
【００１４】
脱パラフィン剤としては種々のものを用いることができる。好ましくは2000年11月22日出願の米国特許出願第09/721,096号および2003年4月8日に公開された下記文献に開示の水溶性流体を用いることができる。
【特許文献１】米国特許第6,544,798号明細書
【００１５】
具体例としては脱イオン水、クエン酸緩衝液(pH6.0〜8.0)、トリスHCl緩衝液(pH6〜10)、リン酸緩衝液(pH6.0〜8.0)、FSC緩衝液、APK洗浄(商標)、酸性緩衝液または溶液(pH1〜6.9)、塩基性緩衝液または溶液(pH7.1〜14)が挙げられる。必要に応じて、水溶性流体は一種以上のイオンまたは非イオン界面活性剤、例えばTriton X-100(商標)、Tween(商標)、Ｂｒｉｊ、サポニン、および、硫酸ドデシルナトリウムを含むこともできる。一般に、脱パラフィン流体は加熱する。例えば、埋込み媒体が融点が５０〜５７℃のパラフィンの場合、流体をパラフィンの融点より高い温度、例えば６０〜７０℃に加熱する必要がある。一般に、流体は流体供給源中で加熱する。
【００１６】
［図５］［図６］を参照すると、脱パラフィンステーション１４０は流体吸引プローブ１５０をさらに有する。この流体吸引プローブ１５０は脱パラフィンステーション１４０内部に配置されたときにトレー８０の中心位置１０４にプローブ１５０の末端が配置されるように回動される。流体吸引プローブ１５０は管路（図示せず）および吸引ポンプ１５７を介して脱パラフィン剤の分離器（図示せず）に連結された中空管である。脱パラフィン流体は流体供給源２１へ戻され、ここで加熱器によって加熱され、必要に応じて濾過器１５４で濾過され、脱パラフィン中に除去された細胞等が取り除かれ、再使用される。必要に応じて、蓄積したパラフィンを例えばスキミングによって除去することができる。流体吸引プローブ１５０はそれがトレーの中心位置１０４の近傍にくる展開位置とトレーおよびスライド上方にくるパーキング位置との間を十分に自由に移動でき、脱パラフィンステーション１４０におけるトレーおよびスライドの出し入れの動きを邪魔しないようにする必要がある。
【００１７】
従来の浴式脱パラフィンステーションと比較した本発明の特徴および利点の一つは、スライド間の相互汚染の可能性、例えば一方のスライドから他方のスライドへ細胞がキャリオーバする危険性が排除されることにある。すなわち、標本スライドに供給される脱パラフィン流体は濾過した新規なものであり、標本スライドは同一平面上に水平に間隔をあけてトレー内に配置されているので、パラフィン化プロセス中にスライド間で生じうる細胞のキャリオーバによる相互汚染は防止できる。さらに、脱パラフィンプロセスは加熱された脱パラフィン剤の使用でより効率的になる。
【００１８】
［図７］に示す染色ステーション１６０は２つ以上の染色剤分配／洗浄ノズル１６２を有するモジュラ型区画室である。本発明の好ましい実施例では染色ステーション１６０は一対の染色剤分配ノズル１６２を有している。各染色剤分配ノズル１６２はスクリュードライバー１６５とリニアモーター（図示せず）によってシャフト１６３に沿って標本スライド対から標本スライド対へステップ状に移動する。染色剤分配ノズル１６２は弁、導管および正圧ポンプ（図示せず）を介して染色貯蔵器１６８Ａ、Ｂ、Ｃ、Ｄに選択的に連結される。変形例ではこれらのノズルが洗浄液体源、通常はＤＩ水（必要に応じて界面活性剤を含む）に選択的に連結される。
【００１９】
染色ステーション１６０にも上記の流体吸引ノズル１５０と同様な流体吸引ノズル１７０が設けられていて、ノズル１７０の末端１７２が染色ステーション１６０内部のトレーの中心位置１０４の近傍にくる作業位置とトレーおよびスライド上方のパーキング位置との間で回動でき、染色ステーション１６０でのトレーおよびスライドの出し入れの動きを邪魔しないようになっている。吸引ノズル１７０は管路（図示せず）および吸引ポンプ（図示せず）を介して廃棄物容器３８に連結されている。脱パラフィンステーションの場合と同様に、標本スライドを同一平面上に水平に間隔をあけてトレー内に配置することによって染色プロセス中のスライドの相互汚染を防止することができる。
【００２０】
カバーグラス被覆(cover slipper)ステーション１８０もモジュラユニット式にすることができ、このカバーグラス被覆ステーション１８０は2002年4月26日出願の米国仮出願第60/375,925号の「自動カバーグラス被覆装置」に記載のようなカバーグラス被覆剤を塗布する流体カバーグラス分配器(fluid coverslipper)にすることができる。なお、この特許の内容は本明細書の一部を成す。
【００２１】
［図８］[図８Ａ］に示す好ましい実施例では、変形例として、カバーグラス被覆ステーション１８０が開口した分配端２２０を有するカートリッジまたはマガジン２１８を有している。このマガジン２１８は略長方形のボックス２２２を規定し、このボックス２２２中にガラスプレートのカバーグラス２１０がほぼ垂直方向に重ねられている。全体を２２４で示した移送機構は一番上（最上部）のガラスプレート（カバーグラス）２１０を取り出し、標本スライド５６上に乗せる。好ましい実施例では、移送機構２２４はレール２２８から吊り下げられた吸引カップ２２６と上下往復動可能なプランジャー２３０とを有している。プランジャー２３０はボックス２２２の底部を貫通して伸びて、重ねられたカバーグラスを吸引カップ２２６と接触させる。その結果、吸引カップ２２６とガラスプレートカバーグラス２１０とが係合する。その後、プランジャー２３０が後退し、吸引カップ２に保持された一番上のカバーグラスから、重ねて保存されたカバーグラス群２１０が離される。次いで、吸引カップ２２６はレール２２８に沿って選択されたスライドの上方まで進み、そこで吸引カップ２２６プがカバーグラスをスライド上に解放する。その後、吸引カップ２２６はマガジン２１８の上方へ戻る。そして、吸引カップ２２６と接触するようにようにプランジャー２３０が重ねられたカバーグラス群を押すように再起動されると上記プロセスが繰り返される。
【００２２】
各カバーグラス２１０はほぼ平らな上面および底面を有するほぼ長方形形状で、標本スライド５６よりも長さがわずかに短く、薄い。
【００２３】
特に好ましい実施例では、各カバーグラス２１０の底面に乾燥活性化接着剤が塗布される。この場合には、流体分配ノズル２３２が駆動装置２２８に支持され、カバーグラス２１０の前に標本スライドの表面上に接着活性化流体を塗布する。好ましい接着剤はトルエンまたはキシレン等の低粘度流体で活性化できるPermount(登録商標)(Fisher Scientific、ピッツバーグ、ペンシルベニア州)またはShurMount(登録商標)(Triangle Biomedical、ダラム、ノースカロライナ州）である。接着剤が塗布されたカバーグラスとキシレン等の低粘度の接着活性化流体とを使用する利点はエアポケット（すなわち標本スライド５６とカバーグラス２１０との間のエアポケット）が生成するのを避けることができる点にある。2000年11月20日出願の米国特許出願第09/716,344号には予備接着処理されたカバーグラスが記載されている。この特許の内容は本明細書の一部を成す。
【００２４】
スライドトレー５４は運搬／昇降機構によって上記ワークステーション間をＸ−Ｙ−Ｚ方向に運搬される。
［図１Ａ］［図１Ｂ］［図９］［図１０Ａ］［図１０Ｂ］を参照すると、運搬／昇降機構はスライドトレー支持テーブル６０を有している。この支持テーブル６０は昇降レール６４に摺動自在に取り付けられたほぼ長方形のフレーム６２を有し、このフレーム６２はブラケット７４を介して昇降伝達／駆動モータ７８によって駆動される昇降駆動組立体７６に連結されている。カウンタウエイト５はスライドトレーの重量とスライドトレーに加わるテンパー加速／減速力をオフセットするために設けられている。
【００２５】
［図９］［図１０Ａ］[図１０Ｂ］を参照すると、スライド支持テーブル６０はＸ−Ｙ方向へのロード／アンロード／移送機構１１０を有している。この機構１１０は駆動システム１１２Ａ、１１２Ｂによって駆動されるステッパモータを有している。駆動システム１１２Ａ、１１２Ｂは上方へ延びたブラケット１１４Ａ、１１４Ｂを有し、これらのブラケット１１４Ａ、１１４Ｂはトレー上で下方へ延びたブラケット１１６Ａ、１１６Ｂと係合する。これらのブラケット１１６Ａ、１１６Ｂはさらに、後で詳細に述べるように、トレー８０を運搬／昇降機構上に乗せたり、下ろしたりし、また、選択されたワークステーションに乗せたり、下ろしたりする。
各トレーをワークステーション内の適切な位置に確実に位置決めするために、運搬／昇降機構は光学センサー１１８またはマイクロスイッチセンサー（図示せず）等の近接センサーを有する。ホール効果センサーを用いることもできる。
【００２６】
上記装置は下記のように運転される。
［図１１］を参照する。先ず、標本支持スライド５６をスライドトレー５４上に載せる。スライドトレー５４はポータル６６によってガレージ６０内にロードされる。運搬／昇降機構がスライドトレー５４の直ぐ下側に割り出された後、スライドトレーがガレージ内へ前進され、トレー５４に支持された下方へ延びるブラケット１１６Ａが運搬／昇降機構に支持された上方へ延びるブラケット１１４Ａを過ぎた位置まで来る。次いで、運搬／昇降機構は昇降機の床がトレー５４の底の高さとほぼ整合するように垂直方向に割り出され、ブラケット１１４Ａが後退することによってトレーは運搬／昇降機上へ引き寄せられる。次に、運搬／昇降機構は焼成ステーション４２の近傍位置まで「Ｚ」方向に垂直に移動する。その後、スライドトレーはブラケット１１４Ｂによって焼成ステーション４２まで「Ｘ」方向に押され、そこにトレーが載せられる。ブラケット１１４Ｂが後退し、標本支持スライドを支持するトレーが所定温度で所定時間（スライド上のパラフィンが軟化する温度および時間）で焼成される。次に、運搬／昇降機構は昇降機の床が焼成ステーション４２の近傍でトレー５４の底の高さよりわずかに下に来るように垂直方向に割り出され、ブラケット１１４Ｂはトレー上でブラケット１１６Ｂを過ぎた直後の所まで進む。次に、運搬／昇降機構は昇降機の床が焼成ステーション４２内でトレー５４の底の高さとほぼ整合するように垂直方向上方へ調節され、ブラケット１１４Ｂが後退して焼成済みのスライドを支持するトレーを焼成ステーション４２から引き出す。次に、トレーは、前回と同様に、運搬／昇降機構によって脱ワックスまたは脱パラフィンステーション４４に運搬され、そこでトレーはステーション４４に置かれ、スライドに加熱水または脱パラフィン流体が噴霧されてパラフィンが除去される。一般に、交互に設けたスライドバンク上のノズル１４２から時間調節した順序で脱パラフィン流体が塗布される。脱パラフィン流体はトレー８０の底に集まり、そこから吸引ノズル１５０によって除去され、１ミクロンの濾過器で濾過され、再循環される。吸引された脱パラフィン剤が過剰に泡立たないようにするために、廃棄物容器３４は外気に通じているのが好ましい。
【００２７】
吸引ノズル１５０が後退した後、脱パラフィンされた標本スライドを支持するスライドトレー５４が脱パラフィンステーション１４０から取り出され、前回と同様に、運搬／昇降機によって染色ステーション１６０に運搬され、この染色ステーションで個々のスライドに選択された染色剤が塗布される。染色剤としてはヘマトキシリン、エオシンまたは組織標本の形態を目立たせるのに有用なその他の任意の化学的染色剤が挙げられる。過剰な染色剤および洗剤または洗浄剤はトレーの底から、トレーの中心の下がった吸引ノズルによって除去され、廃棄される。このように常に新しい染色剤が用いられるので、従来の浴型染色機に固有の問題、例えばスライドの相互汚染、染色剤の酸化および／または染色剤活性の低下等が排除される。
【００２８】
吸引ノズルが後退した後、染色済みスライドが染色ステーション１６０から取り出される。トレーを制御された温度で制御された時間だけ乾燥するために、再び乾燥／焼成ステーションに運搬することができる。その後、染色済みスライドは焼成ステーション１２０から引き出され、前回と同様に、運搬／昇降システムによってカバーグラス被覆ステーション１８０へ運搬され、このカバーグラス被覆ステーション１８０でスライドの上側表面上にガラスのカバーグラスが貼られる。次いで、カバーグラスで覆われたスライドを運搬／昇降システムによってガレージ６０内の保管位置へ移動させる。トレーをポータル位置に戻してそこからトレーを取り出すこともできる。
【００２９】
［図１２］は本発明の第２実施例の装置２２０を示す。この装置２２０も第１実施例の装置と同様に一つのシステム２２２の１つの部品またはモジュールとして機能する。このシステム２２２は大容積の流体容器２３２、２３４、２３６とその関連機器を有している。
【００３０】
上記装置２２０は、第１実施例の場合と同様に、互いに重なったワークステーションを支持するフレームを有している。例えば、一つまたは複数の乾燥または焼成ステーションまたはモジュールと、脱ワックスまたは脱パラフィンステーションまたはモジュールと、一つまたは複数の染色ステーションまたはモジュール２６０と、カバーグラス被覆ステーションまたはモジュール２８０とがタワー２５０内に配置されている。
この第２実施例では、焼成ステーションと脱パラフィンステーションとが単一のモジュール２２０内で組み合わされている。タワー２５０の近傍には、スライド５６に支持された個々の標本の複数枚を支持するスライドトレー５４（［図１３］参照）を乾燥／焼成、脱ワックス、染色およびカバーグラス被覆操作中にトレー保管ステーションから運搬するために上記運搬／昇降機構５２と同様な運搬および昇降機構２５２が設けられている。
【００３１】
図示した実施例では、焼成／乾燥と脱ワックスまたは脱パラフィンとを組み合わせたステーションまたはモジュール２４０と、染色ステーションまたはモジュール２６０と、カバーグラス被覆ステーションまたはモジュール２８０とがタワー２５０内に互いに垂直に配置され、コンピュータ制御される。
【００３２】
［図１３］を参照すると、焼成／乾燥と脱ワックスまたは脱パラフィンとを組み合わせたステーション２２０は標本スライドを乾燥させるための制御された熱が供給される断熱区画室からなる。このステーション２２０はモジュラユニットであり、標本スライドの表面に放射熱を送るように配置した一対の放射加熱器パネル３００、３０２を有するのが好ましい。スライドを加熱することは、後で詳細に説明するように、スライドを乾燥させ、スライド上のパラフィンを軟化させ、スライドに塗布された脱パラフィン流体を加熱するのに役立つ。ステーション２２０は標本スライドに対して所定の角度で下方を向いた一つまたは複数の脱パラフィン流体分配ノズル２４２を有している。脱パラフィンステーション２４０は１０個のノズル２４２を２列に有するのが好ましい。各ノズルには脱パラフィン流体供給源２３２（［図１２）から共通マニホルド２４６を介して脱パラフィン流体が供給される。変形例では一対のノズルを移動自在にしてスライド対からスライド対へ移動させることができる。
【００３３】
種々の脱パラフィン剤を用いることができるが、水溶性流体の濃縮溶液、例えばCollaterge(商標)(Colonial Chamical、S.ピッツバーグ、ＴＮ）が好ましい。Collatergeは広範囲の濃度で有効な脱パラフィン剤として用いることができ、約３〜３０容量％の濃度で用いるのが好ましい。必要に応じて、この濃縮水溶液に一種以上のイオンまたは非イオン界面活性剤、例えばTriton X-100(商標)、Tween(商標)、Ｂｒｉｊ、サポニンおよび硫酸ドデシルナトリウムをさらに加えることもできる。埋込み媒体すなわちワックスの除去を容易にするためにはスライドおよび脱パラフィン流体を加熱するのがよい。例えば、埋込み媒体が融点が５０〜５７℃のパラフィンの場合にはスライドを約８５℃の温度で焼成および予備加熱する必要がある。本発明の第２実施例の一つの特徴および利点はスライドを十分高い温度に予備加熱して脱パラフィン流体を別に予備加熱する必要をなくした点にある。スライドの予備加熱すなわちパラフィンの軟化によって脱パラフィン段階の効率が向上する。周囲条件およびワックスの種類によっては脱パラフィン流体を予備加熱されたスライドに塗布し、流体を数秒または数分間作用させた後にスライドから出た流体およびワックスを例えば水ノズル２４８からの脱イオン水で洗浄するだけでよい。必要に応じて、脱パラフィン流体で被覆されたスライドを洗浄の例えば５分前に例えば数分間焼成することができる。このようにして、脱パラフィンプロセスは改良される。さらに、必要とする脱パラフィン流体の量が減少し、脱パラフィン流体を濾過および再循環する必要がなくなるだけでなく、むしろ使用後の脱パラフィン流体を直接排出し、濾過し、廃棄することができるようになる。
【００３４】
ステーション２４０は第１実施例の１５０と同様の流体吸引プローブ２５０をさらに有する。このプローブ２５０はステーション２４０内に配置されたときにトレーの中心位置にプローブの末端２５２がくるように回動自在に配置されている。プローブ２５０は管路（図示せず）と吸引ポンプ２５７とを介して連結された中空管であり、使用後の脱パラフィン流体は濾過器（図示せず）で濾過され、脱パラフィン中に除去された細胞が取り除かれ、廃棄される。プローブ２５０はプローブがトレーの中心位置の近傍にくる展開位置とトレーおよびスライド上方にくるパーキング位置との間を十分に自由に移動でき、ステーション２４０でのトレーおよびスライドの出し入れの動きを邪魔しないようにする必要がある。
【００３５】
従来の浴式脱パラフィンステーションと比較したときの本発明の第２実施例の特徴および利点は、スライド間の相互汚染の危険性、例えば一方のスライドから他方のスライドへ細胞がキャリオーバする危険性が排除されることにある。すなわち、標本スライドには新しい脱パラフィン流体のみが塗布され、標本スライドは同一平面上に水平に間隔をあけてトレーに配置してあるのでパラフィン化プロセス中にスライド間で生じうる細胞のキャリオーバによる相互汚染が防止できる。さらに、スライドの予備加熱および／またはスライド上の脱パラフィン剤の加熱によって脱パラフィンプロセスがより効率的になる。
【００３６】
この第２実施例も、第１実施例の場合と同様に、上記染色ステーション１６０と構造および動作が類似した染色ステーション２６０と、上記カバーグラス被覆ステーション１８０と類似したカバーグラス被覆ステーション２８０とを有している。第２実施例の染色システムは上記のＸ−Ｙ−Ｚ方向への運搬／昇降機構と同様なＸ−Ｙ−Ｚ方向への運搬／昇降機構をさらに有している。もちろん、第２実施例の場合にはステーションまたはモジュールの数を一つ減らすことができ、従って、複数のモジュール間の移動のタイミングおよび順序は以下で述べるように第１実施例とは異なることは理解できよう。
【００３７】
本発明の第２実施例の装置は下記のように運転される。
［図１４］を参照する。先ず、標本支持スライドはスライドトレーに載せられる。次いで、スライドトレーは運搬／昇降機２５２に載せられる。運搬／昇降機構は焼成および脱パラフィンステーション２４２の近傍位置まで「Ｚ」方向に垂直に移動し、トレーはこのステーションへ送られる。標本支持スライドを支持したトレーは所定温度で所定時間（すなわちスライド上のパラフィンが軟化し、標本から水が除去され、スライドに組織が付着するような温度および時間）で焼成される。十分に加熱（例えばスライド表面の温度が８５℃になるまで加熱）された時にスライドを濃縮脱パラフィン剤で被覆し、さらに５分間加熱する。必要に応じて、交互に設けたノズル列２４２から濃縮脱パラフィン剤を時間調節した順序で噴霧できる。次いで、スライドは脱イオン水で洗浄され、脱パラフィン剤およびパラフィンが除去される。洗浄水、脱パラフィン剤およびパラフィンはスライドトレーの底に集まり、吸引ノズル２５０によって除去され、濾過によって固体が除去され、濾過液は廃棄される。
【００３８】
吸引ノズル２５０が後退した後、脱パラフィンされた標本スライドを支持したスライドトレー５４が焼成および脱パラフィンステーション２４０から取り出され、前回と同様に、運搬／昇降機によって染色ステーション２６０へ運搬され、上記のようにして染色ステーションで個々のスライドに選択された染色剤が塗布される。
次いで、染色済みのスライドが染色ステーション２６０から取り出される。トレーを御された温度で制御された時間だけ乾燥するために、再び焼成ステーション２２０に運搬することができる。その後、染色済みのスライドが焼成ステーション２２０から引き出され、前回と同様に、運搬／昇降システムによってカバーグラス被覆ステーション２８０へ運搬され、このカバーグラス被覆ステーション２８０でスライドの上面にガラスのカバーグラスが貼られる。次いで、キュアーを加速するためにカバーグラス被覆されたスライドを加熱／乾燥ステーションに送ることもできる。次いで、運搬／昇降システムがカバーグラスで覆われたスライドを保管場所に移動させる。トレーをシステムから取り出すこともできる。
【００３９】
このシステムは「ランタイムエグゼクティブ（Run Time Executive）」とよばれるソフトウェアで作動できる。このランタイムエグゼクティブ（「ＲＴＥ」）アプリケーションの任務の１つは、顕微鏡スライドを乗せた各トレーに対して各ワークステーションで実施される各種操作を順序を付け、スケジューリングすることにある。各トレーは一つまたは複数のワークステーションで必要な操作が実施され、同じワークステーションに何回も来ることになる。本システムでは一度に２５個のトレーを処理できる。全てのトレーは単一の昇降機および往復動テーブルによって機器内を移動できる。また、この昇降機とテーブルとを組み合わせることでトレーはＸＹＺ方向に移動できる。さらに、使用可能になるワークステーションをトレーが待っている間またはトレーに対する全ての操作が完了したときにトレーをは置いておくための「パーキングガレージ」を有している。ガレージ内のパーキングスロット数はトレーの最大数である２５と一致する。
【００４０】
トレーに対して行われる全ての動作はユーザが選択したプロトコルに基づいて行われ、特に、所望のワークステーションでの動作とトレーの優先度とを「ＳＴＡＴ」またはノーマルとする。このプロトコルを用いた場合、上記ＲＴＥは行くべきワークステーションの順序を作成する。テーブル１つに１つしか昇降機がないので一つのサーバーでマルチジョッブをするように見える。この問題のスケジュール計算ができる場合には、トレーの到着が予測できないことを知る必要がある。同様に、ユーザはいつでもトレーの優先度を変えることができる。これらのファクターを考慮しながら、昇降機／テーブルが作業で使用可能になるたびにスケジュールが動的に決定される。昇降機／テーブルの「作業」はＡ点からＢ点へトレーを移動させることである。従って、移動が完了すれば、昇降機／テーブルは使用可能になる。このときに上記ＲＴＥはシステム中の各トレーを検査し、移動可能なリストを作成する。このプロセスは下記の通りである：
【００４１】
１．  先ず第一に、トレーが移動できるかどうかを求める。トレーを移動させるのはワークステーションで作業が実行されているか、パーキング中で且つ次のワークステーションへ行く準備ができているか、パーキング中で且つ取り出す準備ができているか、異常のためにパーキングへ行く準備ができているかのいずれかでなければらなない。
２．  トレーが移動できる場合には、トレーの次の目的地をトレーの順序から識別し、使用可能かどうかをチェックする。ワークステーションが空で且つ操作の準備ができている場合にはワークステーションが使用可能であるとみなされる。目指すワークステーションが２つ以上ある場合には最も長く待っているワークステーションが選択される。トレーが目指すワークステーションが使用可能でない場合にはトレーはパーキングガレージへ送られる。この場合には上記ＲＴＥはトレーが次に目指すステーションに最も近い空のパーキングスロットを常に選択する。
【００４２】
可能性のある全ての移動リストが作成されると、上記ＲＴＥは実行すべき１つの移動を選択する。この選択はトレーの優先度に基づいていおり、優先度が同じ場合には、トレーがシステムに到着する時間（ＴＯＡ）（すなわちポータルに入る時間）で決定する。
【００４３】
トレーの優先度を管理する規則は下記の通りである：
１．  最も高い優先度はその時点でスライド検出／バーコード読取りステーション内にあるトレーに割り当てられる。この最も高い優先度は往復動テーブルがこのステーションの動作と関係しているときに割り当てられる。動作が完了し、トレーが次のステーションに移動するまではこの昇降機／テーブルに他の移動を割り当てることはできない。
２．  ２番目に高い優先度はユーザが指定したＳＴＡＴ優先度を有するトレーに割り当てられる。
３．  ３番目に高い優先度はシステムに入るためにポータルで待機しているトレーか、システムから取り出されるのを待っているガレージ内のトレーである。この優先度はユーザが機器を待って立っているような場合に適応する。
４．  最も低い優先度は上記の３つの基準を満たさない全てのトレーに割り当てられる。
【００４４】
この選択のソフトウェアメカニックは移動可能な各トレーごとに作成された動的配列構造のレコードで構成される。このレコートにはトレーの識別記号、トレーに割り当てられた優先度およびトレーのＴＯＡが含まれている。この配列は優先度、次いで、ＴＯＡによって分類され、リストの一番上に記入されている項目が昇降機／テーブルに与えられて実行されるトレーである。
【００４５】
以上の説明から、本発明がスライド上の生物標本を高出力量で染色できる集積システムを提供することが理解できよう。本発明の利点の一つは脱パラフィンプロセス中に除去された生物細胞による酸化および／または汚染によって劣化しやすい従来の浸漬式の脱パラフィンおよび／または染色浴を無くすことができる点にある。本発明ではそれとはむしろ逆に、きれいで新しい（または常に濾過された）脱パラフィン剤または染色試薬を使用することでスライドからスライドへの細胞のキャリーオーバの可能性を無くしている。
さらに、スライド１枚当たりの試薬の使用量が従来の浸漬浴の場合とほぼ同じ（３５０μｌ）であることは驚くべきことである。本発明は焼成段階からカバーグラス被覆段階まで染色スライドを完全に集積化した高出力量システムを初めて提供するものであり、この方法は現在市販されているシステムでは実行できない方法である。
【００４６】
本発明の精神および範囲を逸脱しない限り、本発明を種々の変更できる。例えば、本発明装置に２つ以上の染色ステーションモジュール、２つ以上の焼成ステーションモジュール、２つ以上の脱パラフィンステーションモジュールおよび／または２つ以上の焼成と脱パラフィンとを組み合わせたステーションモジュールを設けて出力量をさらに増加させることができる。本発明の特定の特徴および利点の１つはシステムのフットプリントを増やさずに、追加のステーションモジュールを垂直方向に追加することができることにある。
変形例では、［図１］の仮想破線で示すように、２つ以上の追加タワーすなわち互いに重ねたワークステーション５０Ａに単一の運搬／昇降機システムで供給を行うことができる。
他の試験、例えばin situ ハイブリダイゼーション（一般にＤＮＡ／ＲＮＡプローブ）や免疫組織化学（典型は抗体）で実施される試験を行うために本発明装置で他の試薬を用いることができる。
本発明の精神および範囲を逸脱しない限り、本発明をさらに他の変更することができる。本発明の範囲は特許請求の範囲に定義され、上記明細書に照らして解釈される。
【図面の簡単な説明】
【００４７】
【図１】本発明の第１実施例の高速自動染色装置の単純化した平面図。
【図１Ａ】本発明の第１実施例の高速自動染色装置の部分正面図。
【図１Ｂ】本発明の第１実施例の高速自動染色装置の部分背面図。
【図１Ｃ】本発明のトレー保管ステーションすなわち「ガレージ」部分を内側から見た斜視図。
【図１Ｄ】本発明のトレー保管ステーションすなわち「ガレージ」部分を外側から見た分解斜視図。
【図２】本発明で使用する標本スライド支持トレーの詳細斜視図。
【図２Ａ】本発明で使用する標本スライド支持トレーの詳細分解図。
【図３】本発明の第１実施例の脱パラフィンモジュール部分の分解斜視図。
【図３Ａ】図３の脱パラフィンモジュールのノズルとマニホルド部分の平面図。
【図４】本発明の第１実施例の加熱または焼成モジュールの図３と同様な分解斜視図。
【図５】本発明の第１実施例の脱パラフィン流体回収システムの詳細斜視図。
【図６】本発明の第１実施例の脱パラフィン流体システムの配管概念図。
【図７】本発明の染色剤塗布モジュールの図３と同様な分解斜視図。
【図８】本発明のカバーグラス被覆モジュールの斜視図。
【図８Ａ】図８のカバーグラス被覆モジュールのカバーグラス被覆カートリッジ部分の斜視図。
【図９】本発明のスライドトレー運搬・昇降機部分の詳細分解図。
【図１０Ａ】本発明のスライドトレー運搬・昇降機部分のＸ−Ｙテーブルの詳細斜視図。
【図１０Ｂ】本発明のスライドトレー運搬・昇降機部分のＸ−Ｙテーブルの図１０Ａと異なる詳細斜視図。
【図１１】本発明の第１実施例のフローダイヤグラム。
【図１２】本発明の高速自動染色装置の第２実施例の図１と同様なの平面図。
【図１３】本発明の第２実施例の焼成・脱パラフィン複合モジュール部分の分解図。
【図１４】本発明の第２実施例を示す図１１と同様なフローダイヤグラム。
【図１】
2005527811.tif 000003
【図１Ａ】
2005527811.tif 000004
【図１Ｂ】
2005527811.tif 000005
【図１Ｃ】
2005527811.tif 000006
【図１Ｄ】
2005527811.tif 000007
【図２】
2005527811.tif 000008
【図２Ａ】
2005527811.tif 000009
【図３】
2005527811.tif 000010
【図３Ａ】
2005527811.tif 000011
【図４】
2005527811.tif 000012
【図５】
2005527811.tif 000013
【図６】
2005527811.tif 000014
【図７】
2005527811.tif 000015
【図８】
2005527811.tif 000016
【図８Ａ】
2005527811.tif 000017
【図９】
2005527811.tif 000018
【図１０Ａ】
2005527811.tif 000019
【図１０Ｂ】
2005527811.tif 000020
【図１１】
2005527811.tif 000021
【図１２】
2005527811.tif 000022
【図１３】
2005527811.tif 000023
【図１４】
2005527811.tif 000024
【国際調査報告】
2005527811.tif 000025
2005527811.tif 000026